【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームが開始可能となるとともに、各々が識別可能な複数種類の識別情報を変動表示可能な可変表示装置に表示結果が導出されることにより１ゲームが終了し、該可変表示装置に導出された表示結果に応じて入賞が発生可能とされたスロットマシンであって、
前記可変表示装置に表示結果が導出される前に入賞の発生を許容するか否かを決定する事前決定手段と、
前記可変表示装置に表示結果を導出させる際に操作される導出操作手段と、
前記導出操作手段が操作されたときに前記事前決定手段の決定結果に応じて前記可変表示装置に表示結果を導出させる制御を行う導出制御手段と、
前記事前決定手段の決定結果が特定の決定結果である場合に前記可変表示装置に表示結果が導出された後に導出後演出を実行する導出後演出実行手段と、
を備え、
前記導出制御手段は、
前記導出操作手段が操作されたときに通常の停止態様にて表示結果を導出させる通常導出制御を行う通常導出制御手段と、
前記導出操作手段が操作されたときに前記通常の停止態様とは異なる特殊な停止態様にて表示結果を導出させる特殊導出制御を行う特殊導出制御手段と、
を含み、
前記スロットマシンは、前記事前決定手段の決定結果が前記特定の決定結果である場合に、前記特殊導出制御を行うか否かを決定する特殊導出制御決定手段を備え、
前記特殊導出制御手段は、前記特殊導出制御決定手段により前記特殊導出制御を行う旨が決定された場合に前記特殊導出制御を行い、
前記導出後演出実行手段は、
前記事前決定手段の決定結果が特定の決定結果である場合に、前記特殊導出制御決定手段により前記特殊導出制御を行う旨が決定されているか否かに応じて異なる割合で前記導出後演出を実行するか否かを決定する導出後演出決定手段を含み、
前記事前決定手段の決定結果が特定の決定結果である場合に、前記特殊導出制御が行われたか否かに関わらず、前記導出後演出決定手段により実行する旨が決定された場合に前記導出後演出を実行する
ことを特徴とするスロットマシン。
【手続補正２】
【補正対象書類名】明細書
【補正対象項目名】０００８
【補正方法】変更
【補正の内容】
【０００８】
前記課題を解決するために、本発明の請求項１に記載のスロットマシンは、
遊技用価値（メダル）を用いて１ゲームに対して所定数の賭数を設定することによりゲームが開始可能となるとともに、各々が識別可能な複数種類の識別情報を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
前記可変表示装置（リール２Ｌ、２Ｃ、２Ｒ）に表示結果が導出される前に入賞の発生を許容するか否かを決定する事前決定手段（内部抽選）と、
前記可変表示装置（リール２Ｌ、２Ｃ、２Ｒ）に表示結果を導出させる際に操作される導出操作手段（ストップスイッチ８Ｌ、８Ｃ、８Ｒ）と、
前記導出操作手段（ストップスイッチ８Ｌ、８Ｃ、８Ｒ）が操作されたときに前記事前決定手段（内部抽選）の決定結果に応じて前記可変表示装置（リール２Ｌ、２Ｃ、２Ｒ）に表示結果を導出させる制御を行う導出制御手段（リールの停止制御）と、
前記事前決定手段（内部抽選）の決定結果が特定の決定結果（リプレイＡ）である場合に前記可変表示装置に表示結果が導出された後に導出後演出（入賞演出Ｂ、Ｃ）を実行する導出後演出実行手段と、
を備え、
前記導出制御手段は、
前記導出操作手段（ストップスイッチ８Ｌ、８Ｃ、８Ｒ）が操作されたときに通常の停止態様にて表示結果を導出させる通常導出制御（通常停止制御）を行う通常導出制御手段と、
前記導出操作手段（ストップスイッチ８Ｌ、８Ｃ、８Ｒ）が操作されたときに前記通常の停止態様とは異なる特殊な停止態様にて表示結果を導出させる特殊導出制御（低速停止制御）を行う特殊導出制御手段と、
を含み、
前記スロットマシンは、前記事前決定手段（内部抽選）の決定結果が前記特定の決定結果（リプレイＡ）である場合に、前記特殊導出制御（低速停止制御）を行うか否かを決定する特殊導出制御決定手段（低速停止抽選）を備え、
前記特殊導出制御手段は、前記特殊導出制御決定手段（低速停止抽選）により前記特殊導出制御（低速停止制御）を行う旨が決定された場合に前記特殊導出制御（低速停止制御）を行い、
前記導出後演出実行手段は、
前記事前決定手段（内部抽選）の決定結果が特定の決定結果（リプレイＡ）である場合に、前記特殊導出制御決定手段（低速停止抽選）により前記特殊導出制御（低速停止制御）を行う旨が決定されているか否かに応じて異なる割合で前記導出後演出（入賞演出Ｂ、Ｃ）を実行するか否かを決定する導出後演出決定手段（入賞演出選択抽選）を含み、
前記事前決定手段（内部抽選）の決定結果が特定の決定結果（リプレイＡ）である場合に、前記特殊導出制御（低速停止制御）が行われたか否かに関わらず、前記導出後演出決定手段（入賞演出選択抽選）により実行する旨が決定された場合に前記導出後演出（入賞演出Ｂ、Ｃ）を実行する
ことを特徴としている。
この特徴によれば、事前決定手段の決定結果が、特殊導出制御が行われる可能性のある特定の決定結果である場合において可変表示装置の表示結果の導出後に導出後演出が実行され得るとともに、事前決定手段の決定結果が特定の決定結果である場合において、実際に特殊導出制御が行われたか否かに関わらず、特殊変動制御を行う旨が決定されたか否かに応じて導出後演出が実行される割合の違いから特殊導出制御を行う旨が決定されていたか否かを推認することが可能となるため、特殊な停止態様にて表示結果を導出させることによる興趣を効果的に高めることができる。
尚、特殊導出制御とは、導出操作手段が操作されてから表示結果が導出されるまでの速度を通常よりも遅くする制御や、表示結果をバウンドさせて停止させるなど、停止させる際の挙動を通常と異なる挙動とする制御などが該当する。
また、前記導出後演出決定手段は、前記特殊導出制御を行う旨が決定されている場合に前記特殊導出制御を行う旨が決定されていない場合よりも高い割合で前記導出後演出を実行する旨を決定するものでも良いし、前記特殊導出制御を行う旨が決定されていない場合に前記特殊導出制御を行う旨が決定されている場合よりも高い割合で前記導出後演出を実行する旨を決定するものでも良く、さらには、前記特殊導出制御を行う旨が決定されている場合、前記特殊導出制御を行う旨が決定されていない場合のどちらか一方の場合にのみ前記導出後演出を実行する旨を決定するものでも良い。
また、事前決定手段の決定結果が特定の決定結果である場合に、導出後演出を実行する旨が決定された場合に、前記導出後演出として特定の種類の演出が実行される一方、導出後演出を実行しない旨が決定された場合に、前記特定の種類以外の種類の演出が実行される構成としても良い。
【手続補正３】
【補正対象書類名】明細書
【補正対象項目名】０００９
【補正方法】変更
【補正の内容】
【０００９】
本発明の手段１に記載のスロットマシンは、請求項１に記載のスロットマシンであって、
前記導出後演出実行手段は、前記特殊導出制御決定手段により前記特殊導出制御（低速停止制御）を行う旨が決定されていることを条件に、複数種類の前記導出後演出（入賞演出Ｂ、Ｃ）のうち特定種類の導出後演出（入賞演出Ｃ）を実行する
ことを特徴としている。
この特徴によれば、特殊導出制御が行われたか否かを見逃した場合であっても、特定種類の導出後演出が実行されることで、特殊導出制御を行う旨が決定されたことを認識させることができる。
【手続補正４】
【補正対象書類名】明細書
【補正対象項目名】００１２
【補正方法】変更
【補正の内容】
【００１２】
本発明の手段４に記載のスロットマシンは、請求項１、手段１〜３のいずれかに記載のスロットマシンであって、
前記特定の決定結果は、第１の価値（８枚のメダル）の付与を伴う第１の入賞（ベル）の発生を許容する第１の決定結果（ベル）及び前記第１の価値よりも低い第２の価値（リプレイゲーム（３枚のメダルに相当）の付与を伴う第２の入賞（リプレイ１）の発生を許容する第２の決定結果（リプレイＡ）を含み、
前記導出後演出決定手段（入賞演出選択抽選）は、前記事前決定手段（内部抽選）の決定結果が前記第２の決定結果（リプレイＡ）である場合に、前記第２の決定結果（ベル）である場合よりも高い割合で前記導出後演出（入賞演出Ｂ、Ｃ）を実行する旨を決定する
ことを特徴としている。
この特徴によれば、特殊導出制御が行われる可能性のある特定の決定結果のうち第１の決定結果よりも付与される価値の低い第２の決定結果である場合、すなわち遊技者が着目していない可能性の高い状況であっても、導出後演出にて特殊導出制御を行う旨が決定されていたか否かを推認することが可能となる。